(57)【要約】【課題】駆動源として細線状の形状記憶合金を使用することにより、駆動装置をできるだけコンパクトにして設置スペースを確保し易くし、更に、パチンコ遊技機にあっても盤面部品の設置スペースを確保し易くすると共に、遊技盤の反りを防ぎパチンコ球の流下状態等に支障を来たさないようにした遊技機を提供する。【解決手段】可変表示装置１３等の盤面部品が装着される遊技盤３と、遊技盤３の前側に配置され透明板７によりその前面を覆う透明板保持枠４と、遊技の雰囲気を盛り上げるため盤面部品に取付けられて動作する第１乃至第４可動部材２３ａ，２３ｂ，３９，５７，５８とを備え、通電により長さ方向に変化する細線状の形状記憶合金により構成される駆動源２８５５ａ，５５ｂ，７１により第１乃至第４可動部材２３ａ，２３ｂ，３９，５７，５８を動作させるようにした。【選択図】図４
2006051111.tif 000002
【特許請求の範囲】
【請求項１】
遊技の雰囲気を盛り上げるため前側から視認できる位置に取付けられて動作する可動部材を備えた遊技機であって、通電により長さ方向に変化する細線状の形状記憶合金により構成される駆動源を設け、前記駆動源により前記可動部材を動作させるようにした遊技機。
【請求項２】
可変表示装置等の盤面部品が装着される遊技盤と、前記遊技盤の前側に配置され透明板によりその前面を覆う透明板保持枠と、遊技の雰囲気を盛り上げるため前側から視認できる位置に取付けられて動作する可動部材とを備えた遊技機であって、通電により長さ方向に変化する細線状の形状記憶合金により構成される駆動源を設け、前記駆動源により前記可動部材を動作させるようにした遊技機。
【請求項３】
前記可動部材は前記盤面部品に取付けられかつ前記遊技盤の前面と前記透明板との間に位置した請求項２記載の遊技機。
【請求項４】
前記可動部材はパチンコ球が通過する球通路を有する前記盤面部品に取付けられた請求項３記載の遊技機。
【請求項５】
前記可動部材は前記盤面部品における開閉扉等の動作部材の前面に配置された請求項２又は３記載の遊技機。
【請求項６】
前記可動部材は遊技盤面とほぼ平行な面内で動作するようにした請求項２又は３又は４記載の遊技機。
【発明の詳細な説明】
【技術分野】
【０００１】
本発明は、遊技の雰囲気を盛り上げるため前側から視認できる位置に取付けられる可動部材を、細線状の形状記憶合金により構成される駆動源によって動作させるようにした遊技機に関するものである。
【背景技術】
【０００２】
例えば、遊技機の一種であるパチンコ遊技機にあっては、遊技盤の中央に文字、数字、図柄等の情報を表示部に変動表示する可変表示装置を装着し、また、その下方に始動入賞口を装着し、更に、その下方に大型の入賞装置を装着してなり、前記始動入賞口にパチンコ球が入賞することにより前記情報の変動が開始され、一定時間経過後に停止したときの情報があらかじめ定められた特定の情報（例えば、「７７７」）に揃うと遊技者に有利な特別遊技状態となり、前記入賞装置の開閉扉が前方へ回動して球入口が開放され、一定の条件の下で一度に多くの入賞球が発生し、遊技者に多大な利益がもたらされるようなタイプのものが人気を博している（例えば、特許文献１参照。）。
【０００３】
また、近年、遊技の雰囲気を盛り上げるため前記可変表示装置の表示部に映し出される画像だけでは飽き足らず、例えば、ソレノイドにより遊技内容に合わせて必要なタイミングで動作する所望形状の可動部材を可変表示装置の一部に取着するようにしている（例えば、特許文献１参照。）。
【特許文献１】特開２００３−３８７７９号公報（第３−４頁、図２、図４）
【発明の開示】
【発明が解決しようとする課題】
【０００４】
このように、前記可動部材を動作させる駆動源としてはソレノイドが使用されているため、可動部材を動作させる駆動装置が大型化し、遊技機内での設置スペースを確保するに苦慮する場合がある。よって、この種駆動装置はできるだけコンパクトに成形されていることが望ましい。
【０００５】
また、遊技機の一種であるパチンコ遊技機にあっては、可変表示装置が年々大型化する傾向にあり、これに伴い、その可変表示装置が装着される遊技盤の取付口も大型化している。ところで、前記可変表示装置に可動部材を取着すると、それを動作させる駆動源としてのソレノイドも一緒に付設されることになるので、その分取付口が更に大きく広がることになる。
【０００６】
しかしながら、可変表示装置の大型化に伴い盤面部品の設置スペースの確保に苦慮している現状からすれば、前記ソレノイドを付設することはその周囲にさらなる圧迫を加えることになる。しかも、取付口が大型化して遊技盤面に占める割合が大きくなると、遊技盤自体の強度が落ちて反りが発生する可能性がある。このように、遊技盤に反りが発生すると、遊技盤面を流下するパチンコ球の流下状態や打球の球飛び状態に異常を来たし、それら動作状態に悪影響を及ぼすという課題が発生する。
【０００７】
そこで、本発明は上記課題を解決すべくなされたもので、可動部材を動作させる駆動源として細線状の形状記憶合金を使用することにより、駆動装置をできるだけコンパクトにして設置スペースを確保し易くし、更に、パチンコ遊技機にあっても盤面部品が装着される取付口の大きさを最小限に止めて盤面部品の設置スペースを確保し易くすると共に、遊技盤の反りを防ぎパチンコ球の流下状態等に支障を来たさないようにした遊技機を提供することを目的とするものである。
【課題を解決するための手段】
【０００８】
かかる目的を達成するため、本発明に係る遊技機は、遊技の雰囲気を盛り上げるため前側から視認できる位置に取付けられて動作する可動部材を備えた遊技機であって、通電により長さ方向に変化する細線状の形状記憶合金により構成される駆動源を設け、該駆動源により前記可動部材を動作させるようにした。
【０００９】
遊技機、例えば、パチンコ遊技機にあっては、可変表示装置等の盤面部品が装着される遊技盤と、該遊技盤の前側に配置され透明板によりその前面を覆う透明板保持枠と、遊技の雰囲気を盛り上げるため前側から視認できる位置に取付けられて動作する可動部材とを備えたパチンコ遊技機であって、通電により長さ方向に変化する細線状の形状記憶合金により構成される駆動源を設け、該駆動源により前記可動部材を動作させるようにした。
【００１０】
この際、前記可動部材は盤面部品に取付けられかつ遊技盤の前面と透明板との間に位置することが好ましい。同時に、前記可動部材はパチンコ球が通過する球通路を有する盤面部品に取付けられることが好ましい。
【００１１】
また、前記可動部材は盤面部品における開閉扉等の動作部材の前面に配置されることが好ましい。
【００１２】
更に、前記可動部材は遊技盤面とほぼ平行な面内で動作するようにすることが好ましい。
【発明の効果】
【００１３】
請求項１記載の遊技機にあっては、細線状の形状記憶合金により構成される駆動源によって可動部材を動作させるようにしたので、その駆動装置のコンパクト化が可能となり、遊技機内での設置スペースが確保し易くなるという効果を奏する。
【００１４】
請求項２記載の遊技機にあっても、盤面部品が取付けられる取付口の大きさを最小限に止めることができ、盤面部品の設置スペースが確保し易くなると共に、遊技盤の反りが防止されパチンコ球の流下状態や打球の球飛び状態も常に安定するという効果を奏する。
【００１５】
請求項３記載の遊技機のように、可動部材が盤面部品に取付けられかつ遊技盤の前面と透明板との間に位置するようにすれば、可動部材を配置して作動させるために遊技盤の取付口を広げたりする必要がなく、取付口の大きさを最小限に抑えられるという効果がある。
【００１６】
請求項４記載の遊技機のように、パチンコ球が通過する球通路を有する盤面部品に可動部材を取付けるようにすれば、例えば、その球通路をパチンコ球が瞬時に通過する場合であっても、それを検知して可動部材を動作させることができるようになり、遊技者にも解り易く遊技が安心して行なえるという効果が有る。
【００１７】
請求項５記載の遊技機のように、可動部材を盤面部品における開閉扉等の動作部材の前面に配置するようにすれば、動作する部材に動作する部材を取付けることができ、これらが重なり合って斬新な構成となり、より変化に富んだ動きが味わえ遊技の興趣が高められるという効果が有る。
【００１８】
請求項６記載の遊技機のように、可動部材を遊技盤面とほぼ平行な面内で動作させるようにすれば、可動部材を遊技盤面に近づかせしかも同一平面内で動作させることができ、可動部材が遊技盤面の狭いスペースにも設置できることになり至便であるという効果が有る。
【発明を実施するための最良の形態】
【００１９】
以下、本発明に係る遊技機の実施の形態を図面に基づき説明する。本発明は、例えばスロットマシン、パチンコ遊技機、アレンジボール、雀球遊技機、パチスロ機等の遊技機に適用できるが、その内、パチンコ遊技機について説明する。
【００２０】
図１は本発明に係るパチンコ遊技機の正面図である。パチンコ遊技機Ａは、その外枠１に額縁状の内枠２が一側を軸着して回動自在に装着され、該内枠２の裏側に遊技盤３が配置固定される。また、内枠２の前面に前記遊技盤３の前面を覆う透明板保持枠４が装着され、その下方に前面板５が開閉自在に装着されている。透明板保持枠４には遊技盤３の遊技部３ａが臨む窓開口６が開設され、該窓開口６に透明板であるガラス板７が平行に２枚装着されている。
【００２１】
一方、前面板５の前面に打球発射部（図示せず。）へ供給するパチンコ球を貯留するため上部の球貯留皿８が装着される。また、内枠２の下部前面には、上部の球貯留皿８から溢れるパチンコ球を貯留する下部の球貯留皿９が装着され、その一側に灰皿１０、また、その他側に遊技盤３の遊技部３ａに打ち込まれるパチンコ球の打球力を調整する操作ハンドル１１が設けられている。
【００２２】
前記遊技盤３の前面であって、内側ガイドレール１２ａと外側ガイドレール１２ｂとで囲われる遊技部３ａには、以下に示すような多くの盤面部品が装着される。また、これら盤面部品は、遊技盤３に開設されそれぞれの大きさに合った取付口に装着されることになる。すなわち、遊技部３ａのほぼ中央に表示部１３ａを備えた可変表示装置１３が装着される。また、その下方にパチンコ球の入賞により前記表示部１３ａに表示される数字、記号、図柄等の情報ａを変動させる始動入賞口１４が配置される。この始動入賞口１４は、パチンコ球が入賞し難い起立状態とパチンコ球が入賞し易い傾動状態とに変換自在な一対の開閉翼１４ａ，１４ａが設けられている。更に、その下方に位置して前記変動した情報ａが一定時間経過後に停止して特定の表示（例えば「７７７」）を示し、遊技者にとって有利な特別遊技状態になったとき、一定の条件の下で動作部材である開閉扉１５ａを所定回数開成させ一度に多くの入賞球が得られる入賞装置１５が配置される。
【００２３】
前記可変表示装置１３の両側には、遊技盤３面にパチンコ球が通過し得る通過チャッカー１６，１６が装着される。各通過チャッカー１６は、平面コ字型に成形され上下に開通する球通路１６ｂを有すると共にその中に球検出器１６ａが配置されている。そして、パチンコ球が通過チャッカー１６を通過するごとに、前記始動入賞口１４の一対の開閉翼１４ａ，１４ａを１回（所定の時間の間）開かせるようにしている。
【００２４】
前記可変表示装置１３は、図２，図３に示すように遊技盤３面に取り付けられる取付基板１７の中央部に開口１８が開設されると共にその両側と上側を囲うようにして取付基板１７の前面に枠部材１９が一体に成形されている。また、取付基板１７の後側には、前面が開放した箱枠２０が一体に設けられ、その後端壁２０ａに窓孔２１が開設されており、その後側に配置される表示装置本体１３ｂ前面の表示部１３ａが窓孔２１に臨んでいる。これにより、その表示部１３ａが前記開口１８を介して遊技盤３の前面から視認できることになる。また、前記箱枠２０は遊技盤３に開設される取付口２２ａに嵌入されている。
【００２５】
そして、前記枠部材１９の両側内面であって前側から視認できる位置に、互いに内側斜め上方へ伸びると共に先端側が垂れ下がる柳の木を模した一対の第１可動部材２３ａ，２３ｂが装着される。これら第１可動部材２３ａ，２３ｂは、その枝の一部分が前記表示部１３ａの前面上部に覆い被さるようになっている。これは、このパチンコ遊技機Ａの遊技内容が、幽霊をキャラクターとして出現させストーリーが展開するものであって、その雰囲気を醸し出すためである。
【００２６】
更に、前記第１可動部材２３ａ，２３ｂについて詳しく説明すると、各第１可動部材２３ａ，２３ｂは軟質の合成樹脂材からなり、図４（イ）（ロ）に示すように基幹２４ａが中空状に成形されると共にその先端側に多くの葉が付いた枝２４ｂが一体に成形されている。そして、その基幹２４ａ側が枠部材１９の内側面に開設された通孔２５内に挿通して固着されている。
【００２７】
前記各第１可動部材２３ａ，２３ｂにおける基幹２４ａの中空状部２６には、図４（イ）（ロ）に示すように一本の金属製の保持棒２７と先端で折り曲げられ２本として挿通される細線状の形状記憶合金からなる駆動源２８とが内装されている。前記保持棒２７と駆動源２８は先端部が供に中空状部２６の奥端部に達ししかもその部位に固着されており、基端部は中空状部２６の基端開口部まで達している。前記枠部材１９内に制御基板２９が配置され、前記駆動源２８の２本の基端と制御基板２９とが配線３０により電気的に接続される。前記保持棒２７は可撓性を有すると共に一定の剛性を備え柳の木をある程度の強さで支える働きをしている。
【００２８】
前記駆動源２８である細線状の形状記憶合金として、例えば、バイオメタル（商標名）がある。この形状記憶合金は、通常はナイロン糸のように柔らかいが、電流を流すとピアノ線のように硬くなって強い力で収縮する。また、電流を止めれば、再び柔らかくなって引っ張らなくても元の状態まで伸長する。更に、温度変化によって動作させることもでき、約７０℃に加熱すると収縮し、冷却すると伸長するようになる。この形状記憶合金は、Ｔｉ−Ｎｉ係の形状記憶合金を原料にし、特定の方向に優れた特性を引き出せるように異方性組織化されており、その内部組織は安定した構造を持ち、優れた耐久性と安定した動作特性を示す。例えば、全長の５％以上の伸縮性を有する。そして、形状記憶合金が細線状に成形されることから、軽量・省スペースに優れる。コイル状に巻回した細線状の形状記憶合金にあっても、電流を流すと強い力で元の長さに縮み、電流を止めると再び柔らかくなり伸びる。この伸縮動作は、静かで滑らかである。これらいずれの細線状の形状記憶合金も小型化ししかも薄型に成形できる。
【００２９】
通常の状態では、各第１可動部材２３ａ，２３ｂである柳の木が揺れることはないが、駆動源２８に電圧が印加され通電すると、駆動源２８が短くなって元の長さに戻ろうとするが、基端部と先端部が共に固着されていることから、保持棒２７の張力に抗して基幹２４ａが撓む。そこで、前記駆動原２８に電圧を断続的に印加することにより、柳の木が恰も風に吹かれ枝がなびくように揺れる。このような動作を起こさせることにより遊技の興趣が高められる。
【００３０】
そこで、例えば、前記始動入賞口１４にパチンコ球が入賞すると、可変表示装置１３における表示部１３ａの情報ａが変動し、一定時間経過後に停止する。この際、数字７を表示した一つ目のお化けａが両横に揃って表示された段階でリーチ状態となり、前記駆動源２８に電圧が断続的に印加される。これにより、効果音と共に柳の木の枝が揺れ、遊技者にリーチ目であることを知らせて遊技の興趣を盛り上げる。最終的に、中央部にも同じ数字７を表示した一つ目のお化けａが表示されて停止すると、遊技者にとって有利な特別遊技状態、すなわち大当り状態となり、その下方の入賞装置１５の開閉扉１５ａが一定の条件の下で所定回数連続して開閉し、一度に多くの入賞球が得られることになる。
【００３１】
各第１可動部材２３ａ，２３ｂは共に可変表示装置１３に取付けられかつ遊技盤３の前面とガラス板７との間に位置するので、第１可動部材２３ａ，２３ｂを配置して作動させるために遊技盤３の取付口２２ａを広げたりする必要がない。また、各第１可動部材２３ａ，２３ｂは遊技盤３面とほぼ平行な面内で動作するので、第１可動部材２３ａ，２３ｂが狭い設置スペースに配置できる。
【００３２】
次に、図５乃至図９に基づき入賞装置１５について詳しく説明する。この入賞装置１５は、遊技盤３面に取り付けられる取付基板３１に横長の球入口３２が開設され、該球入口３２に前後方向へ自在に回動して該球入口３２を開閉する開閉扉１５ａが軸着される。図６に示すように取付基板３１の後側には箱枠３４が設けられ、該箱枠３４が遊技盤３に開設された取付口２２ｂに嵌入している。箱枠３４の底面にＶ入賞口３５ａと一般入賞口３５ｂとが横並びに配置される。また、箱枠３４の後側にソレノイド３６が立設して配置され、そのプランジャー３６ａの下端に前方へ突出する連動部材３７が取着され、該連動部材３７前端の二股状部３７ａが前記開閉扉１５ａ後側の作用ピン３８に係合している。
【００３３】
そこで、ソレノイド３６が消磁しているときは、図６実線に示すようにそのプランジャー３６ａが巻装されるスプリング３６ｂの付勢により下降しており、連動部材３７も下降して開閉扉１５ａが球入口３２を閉じている。一方、ソレノイド３６が励磁すると、図６想像線に示すようにプランジャー３６ａがスプリング３６ｂの付勢に抗して上昇し、連動部材３７を上昇させると共に開閉扉１５ａを前方へ回動させる。これにより、その上面にパチンコ球が受けられ球入口３２内に導かれることになる。
【００３４】
本発明にあっては、前記開閉扉３３の前面に人の顔に模した第２可動部材３９が配置されている。第２可動部材３９である人の顔は、眉毛体３９ａと眼体３９ｂと鼻体３９ｃとから構成され、この場合、前記眉毛体３９ａと眼体３９ｂとが動作し、鼻体３９ｃは固定され動かないようになっている。
【００３５】
開閉扉１５ａは、外枠３３ａのほぼ中央に前後を仕切るようにして中間板３３ｂが張設され、内部の前側と後側にそれぞれ前空間部４０ａと後空間部４０ｂが設けられ、また前面と後面には前側板４１ａと後側板４１ｂをそれぞれ被着して構成される。この内、前側板４１ａは透明板により成形されている。そして、前空間部４０ａ内に前記眉毛体３９ａ、眼体３９ｂ、鼻体３９ｃが配置され、後空間部４０ｂ内に前記眉毛体３９ａ、眼体３９ｂを動作させる駆動装置が配置される。
【００３６】
図５に示すように前記左右の各眉毛体３９ａ，３９ａは、やや上方へ曲がるように湾曲しており、図７に示すように中央側の後面に前記中間板３３ｂを貫通してその後側へ突出する支持軸４２が設けられ、該支持軸４２の回転と共に該支持軸４２を中心として各眉毛体３９ａが左右に傾動する。また、各支持軸４２の後端部に中央側へ伸びるレバー片４３がそれぞれ固着され、支持軸４２の回動と共に一体に回動するようになっている。両レバー片４３，４３間に中間板３３ｂの後面から後方へ突出する間隔保持突起４４が設けられ、該間隔保持突起４４に両端が前記両レバー片４３，４３の上面に当接し、両レバー片４３，４３を常に下方へ付勢する押圧バネ４５が取着されている。
【００３７】
前記押圧バネ４５の下方であって、中間板３３ｂの後面に正面Ｔ字型の介装板４６が配置される。該介装板４６は、その縦板部４６ａに開設された縦長孔４６ｂに中間板３３ｂの後面に突設された上下の間隔保持突起４４，４４が嵌入して、上下に自在に摺動できるようになっており、常には、上部の横板部４６ｃの上面に前記両レバー片４３，４３の下端部が当接し、両レバー片４３，４３を介して押圧バネ４５により下方へ付勢される。
【００３８】
前記各眼体３９ｂの後面にはその一側に寄せて前記中間板３３ｂを貫通しその後側へ突出する支軸４７が設けられ、該各支軸４７の後端部に歯車４８が固着され、歯車４８の回転と共に支軸４７が回転し、同時に各眼体３９ｂが振り子状に回動することになる。
【００３９】
両歯車４８，４８の下方には、横長のラック板４９が配置される。このラック板４９は左右両側に横長孔５０が開設され、各横長孔５０に中間板３３ｂの後面から突出した間隔保持突起４４が嵌入され、該各間隔保持突起４４に沿って左右にほぼ水平に摺動するようになっている。また、ラック板４９の左右両側の上面に前記各歯車４８と噛合するラック歯部５１，５１が形成される。また、両ラック歯部５１，５１間の上面に上方へ弧状に湾曲するカム部５２が成形され、ラック板４９が左右に摺動する際に、前記カム部５２の上面が前記介装板４６を押上げる。
【００４０】
前記ラック板４９の下面略中央に第３導電部５３が設けられ、この第３導電部５３にその両側から後記する駆動源５５ａ，５５ｂである前記と同様の形状記憶合金が接続されることになる。ラック板４９の下方であって、中間板３３ｂの後面に前記ラック板４９の左右の長さよりも長い間隔を保って第一導電部５４ａと第二導電部５４ｂが配置固定され、第一導電部５４ａと第３導電部５３および第３導電部５３と第２導電部５４ｂにそれぞれ両端を支着して各間に第一駆動源５５ａと第二駆動源５５ｂが張設される。第一・第二駆動源５５ａ，５５ｂである形状記憶合金はコイル状に成形されており、両端に電圧を印加して通電すると、所定の長さに収縮し短い長さとなる。
【００４１】
また、第一導電部５４ａと第二導電部５４ｂ及び第３導電部５３はいずれも制御基板５６と電気的に接続されており、第一・三導電部５４ａ，５３間または第三・二導電部５３，５４ｂ間にそれぞれ電圧が印加され通電するようになっている。ただ、両間に同時に電圧が印加されることはない。
【００４２】
そこで、例えば、開閉扉１５ａが閉まっており、しかも、表示部１３ａの情報ａがリーチ状態でなく通常の状態では、図７に示すように第一導電部５４ａと第三導電部５３間に電圧を印加し通電して、あらかじめ第一駆動源５５ａが元の状態に収縮させてある。この状態では、ラック板４９が第一導電部５４ａ側に配置され、介装板４６が下方位置に配置されると共に両レバー片４３，４３も下方へ下がっている。そして、図５（イ）に示すように第２可動部材３９の内、眉毛体３９ａが通常の位置に配置され眼体３９ｂも一方を向き、全体に穏やかな顔となっている。
【００４３】
これに対し、例えば、前記表示部１３ａの情報ａがリーチ状態になったとき、その結果が出るまで、第三導電部５３と第二導電部５４ｂ間に電圧を印加して通電し第二駆動源５５ｂを元の状態に収縮させる。これにより、図８想像線、図９に示すようにラック板４９が第二導電部５４ｂ側に摺動する。これに伴いその間にカム部５２により介装板４６が上下動して図５（ロ）に示すように眉毛体３９ａを上下に動かすと共に眼体３９ｂを逆方向へ移動して、やや不安な表情を見せる。このようにリーチ状態が生じているとき、第２可動部材３９を動作させることにより遊技者にドキドキ感を煽り立てるようにすれば、遊技の興趣が高められる。また、この顔の動きが生じたときには、リーチ目が近いということを遊技者に知らせるようにしても良い。また、再びリーチ状態になったときは、第一導電部５４ａと第三導電部５３間に電圧を印加して通電し第一駆動源５５ａを元の状態に収縮させる。その間、前記第二可動部材３９が眼体３９ｂの位置は変わるが同様な動作をして不安な表情を見せることになる。
【００４４】
前記両通過チャッカー１６，１６の前面にも第３可動部材５７が取付けられる。詳しい説明は省略するが、図２に示すようにこの第３可動部材５７は人の目に模した形状をしており、第２可動部材３９とほぼ同じような構成の駆動装置を備え、通過チャッカー１６の球通路１６ｂをパチンコ球が通過した場合、球検出器１６ａによりその球を検出すると共に駆動装置の各駆動源にそれぞれ交互に電圧を印加して通電し第３可動部材５７である眼体を左右に往復動させる。通常は、パチンコ球が通過するのは瞬間的であって遊技者には解りにくいが、前記のように眼体が左右に動くことによりその通過チャッカー１６にパチンコ球が通過したことを容易に認識でき、安心して遊技に集中できる。
【００４５】
以上のように第１可動部材２３ａ，２３ｂ、第２可動部材３９、第３可動部材５７を細線状の形状記憶合金により構成される駆動源２８，５５ａ，５５ｂによって動作させるようにしたので、その駆動源２８，５５ａ，５５ｂのコンパクト化が可能となり広いスペースを必要とせず、設置スペースの確保がし易くなる。
【００４６】
また、第１可動部材２３ａ，２３ｂ、第２可動部材３９及び第３可動部材５７は、いずれかの盤面部品に取付けられかつ遊技盤３の前面とガラス板７との間に位置しているので、第１乃至第３可動部材２３ａ，２３ｂ，３９，５７を配置して作動させるために遊技盤３の取付口２２ａ，２２ｂを広げたりする必要がなく、取付口２２ａ，２２ｂの大きさを最小限に抑えられる。
【００４７】
更に、これら第１乃至第３可動部材２３ａ，２３ｂ，３９，５７は、遊技盤３面とほぼ平行な面内で動作するので、第１乃至第３可動部材２３ａ，２３ｂ，３９，５７が遊技盤３面の狭いスペースに設置できることになる。
【００４８】
更にまた、入賞装置１５における動作部材である開閉扉１５ａの前面に駆動源５５ａ，５５ｂにより動作する可動部材３９を配置したので、動作する部材に動作する部材を取り付けられ斬新な構成となり、より変化に富んだ動きが味わえ遊技の興趣が高められる。前記実施の形態では、開閉扉１５ａの前面に第２可動部材３９を配置したものを示したが、第２可動部材３９の形状は前記のものに限られることはない。また、動作部材としては他に通常の入賞口に取着され、パチンコ球が入賞し難い起立した状態とパチンコ球が入賞し易い傾動した状態に変換し得る開閉翼片の前面であっても良い。なお、入賞装置１５を遊技部３ａの上部に配置すれば、例えば大当り状態になり開閉扉１５ａが開いている状態で第２可動部材３９を動作させるようにしても良く、その動作は遊技者が座っている状態で楽に見ることができる。
【００４９】
本発明では、前記透明板保持枠４の前面上部にも第４可動部材５８が取り付けられている。最後に、図１と図１０及び図１１に基づきこの第４可動部材５８について説明する。透明板保持枠４の一側上縁部に下縁が開放した膨出部５９が設けられ、この膨出部５９内は空洞状に成形されている。そして、その内部に前面が前側を向く、すなわち前面が遊技盤３面とほぼ平行である、横長の支持板６０が配置される。支持板６０には上下方向に蛇行して貫通する３本のガイド溝６１が並設されている。
【００５０】
前記支持板６０の上縁中央部に上方へ延びる吊下板６２が一体に設けられ、この吊下板６２が膨出部５９内に固定される鉛直な摺動部材６３内にその両側から保持されて配置される。また、吊下板６２の一側面に上下方向に沿ってラック歯部６４が成形される。一方、膨出部５９の内面一側に一対の支持突起５６，５６が突設され、これら支持突起５６，５６の先端に螺子６６，６６により可逆回転自在な駆動モータ６７が取着される。この駆動モータ６７の駆動軸６７ａには前記ラック歯部６４と噛合する歯車６８が固着されている。そして、駆動モータ６７の駆動により前記支持板６０が上下動して膨出部５９の下端開口５９ａから出没することになる。
【００５１】
支持板６０の前面に、前記各ガイド溝６１に対応してそれぞれ第４可動部材５８，５８，５８が配置される。各第４可動部材５８は方形平板状に成形され、その前面に火の玉の図柄が描かれている。また、裏側には前記ガイド溝６１に嵌入するピン６９が突設される。更に、各第４可動部材５８と前記吊下板６２の上端にほぼ水平に配置固定される第３導電部７０との間にそれぞれ駆動源７１，７１，７１である細線状の形状記憶合金が配設される。これら形状記憶合金はコイル状に巻回され、通常では伸びており、その両端間に電圧を印加し通電したとき収縮して元の状態に縮むように記憶されている。前記各駆動源７１は、所定位置に配置された制御基板７２に配線７３により電気的に接続されている。
【００５２】
そして、遊技中にリーチ状態になったとき、第１可動部材２３ａ，２３ｂである柳の木がゆらゆらと揺れると同時に、駆動モータ６７が作動し支持板６０が下降して下端開口５９ａから各第４可動部材５８である火の玉が出現する。次に、その下端位置で各駆動源７１に電圧がそれぞれ時間を異ならせて断続的に印加され通電し、各第４可動部材５８である火の玉が各ガイド溝６１に沿って上下・左右に揺れ、恰も火の玉が揺れて彷徨う如き雰囲気を醸し出しす。これにより前記第１可動部材２３ａ，２３ｂである柳の木が揺れ、また、第２可動部材３９である眉毛体３９ａや眼体３９ｃが動作するのに伴い第４可動部材５８である火の玉が彷徨う様から、これら相乗効果により遊技の興趣が一段と高まることになる。
【００５３】
本発明では、遊技盤３の各盤面部品に第１乃至第３可動部材２３ａ，２３ｂ、３９、５７を取付け、透明板保持枠４に第４可動部材５８を取り付けるようにしたが、この他に、上部の球貯留皿８や下部の球貯留皿９、更には前面板５に前記可動部材を取着するようにしても良い。すなわち、遊技機、特にパチンコ遊技機には種々の形状のものがあることから、前記可動部材の取付位置は、それら前側から視認できる位置であれば良い。
【図面の簡単な説明】
【００５４】
【図１】本発明に係るパチンコ遊技機の正面図。
【図２】可変表示装置部位の正面図。
【図３】図２のＸ−Ｘ線断面図。
【図４】（イ）は第１可動部材の基幹部位の正面断面図、（ロ）は図４（イ）のＹ−Ｙ線拡大断面図。
【図５】（イ）は入賞装置部位の正面図、（ロ）は作用を示す入賞装置部位の正面図。
【図６】入賞装置部位の側面断面図。
【図７】駆動装置を示す開閉扉の裏面図。
【図８】同作用を示す開閉扉の裏面図。
【図９】同作用を示す開閉扉の裏面図。
【図１０】透明板保持枠の膨出部部位の側面断面図。
【図１１】第４可動部材と支持板を分解して示す斜視図。
【符号の説明】
【００５５】
３                遊技盤
４                透明板保持枠
７                透明板（ガラス板）
１３              可変表示装置
１５ａ            動作部材（開閉扉）
１６ｂ            球通路
２３ａ，２３ｂ    第１可動部材
２８              駆動源
３９              第２可動部材
５５ａ            第１駆動源
５５ｂ            第２駆動源
５７              第３可動部材
５８              第４可動部材
７１              駆動源
Ａ                遊技機（パチンコ遊技機）
【図１】
2006051111.tif 000003
【図２】
2006051111.tif 000004
【図３】
2006051111.tif 000005
【図４】
2006051111.tif 000006
【図５】
2006051111.tif 000007
【図６】
2006051111.tif 000008
【図７】
2006051111.tif 000009
【図８】
2006051111.tif 000010
【図９】
2006051111.tif 000011
【図１０】
2006051111.tif 000012
【図１１】
2006051111.tif 000013